(57)【要約】【課題】ペン軸を自由に屈曲させることができ、屈曲した状態でのマーキングが可能なマーキングペンを提供する。また、ペン軸を直線状として通常形態での筆記が可能なマーキングペンを提供する。【解決手段】ペン軸と、ペン先とを有したマーキングペンであり、このマーキングペンは、ペン軸は、先端にペン先を取り付けたフレキシブルチューブと、このフレキシブルチューブをスライド自在に嵌装する把持筒とを備えている。フレキシブルチューブの長さは、把持筒の長さより長い。把持筒内にフレキシブルチューブの後端部を挿入し、この把持筒が、このフレキシブルチューブの後端部を摺動自在に支持している。【選択図】図１
2011051229.tif 000002
【特許請求の範囲】
【請求項１】
ペン軸と、
ペン先と、を有するマーキングペンにおいて、
上記ペン軸は、先端にペン先が取り付けられたフレキシブルチューブと、
このフレキシブルチューブがスライド自在に嵌装された把持筒とを備えたマーキングペン。
【請求項２】
上記フレキシブルチューブの長さを上記把持筒の長さより長くするとともに、
この把持筒内にこのフレキシブルチューブの後端部を挿入し、
この把持筒がこのフレキシブルチューブの後端部を摺動自在に支持した請求項１に記載のマーキングペン。
【請求項３】
上記ペン先は、上記フレキシブルチューブに着脱可能に取り付けられた請求項１または請求項２に記載のマーキングペン。
【発明の詳細な説明】
【技術分野】
【０００１】
この発明はマーキングペン、例えば穴開け加工を行う際対象物の穴開け位置にマーキングを行うマーキングペンに関する。
【背景技術】
【０００２】
例えば穴開け加工の加工位置のマーキングには、従来より、プラスチック製軸の中にインキを含ませた吸収体を収容し、これに繊維性またはプラスチック製のペン先を取り付けたマーキングペンが使用されていた。しかしながら、このマーキングペンは剛体である軸を屈曲させることができないため、例えば設備工事などでＩ形鋼などを用いた機械・設備での隠れた位置にマーキングする場合、マーキングペンを傾斜させて目隠し状態でマーキングしていた。このため、マーキング位置がずれることが多かった。
一方、柔軟性・直線復元力がある筒状の軸（プラスチックなど）にボールペンの芯を挿入し、手首などに巻き付けることができるように構成したボールペンが、特許文献１に開示されている。
【先行技術文献】
【特許文献】
【０００３】
【特許文献１】特開２００３−１１２４９３号公報
【発明の概要】
【発明が解決しようとする課題】
【０００４】
しかしながら、特許文献１に記載の発明によれば、そのボールペンの軸は手首に巻き付けるだけの目的のため相当な柔軟性を有していた。よって、その軸を曲げた状態での筆記（マーキング）は不可能な構造となっていた。
すなわち、特許文献１に記載の発明に係るボールペンは、穴開けその他の加工における加工位置を示すためのマーキングペンとして使用することはできなかった。
【０００５】
そこで、この発明は、ペン軸を自由に屈曲させることができ、ペン軸が屈曲した状態でのマーキングが可能なマーキングペンを提供することを目的とする。
また、この発明は、屈曲状態の他にもペン軸を直線状としての通常形態での筆記が可能なマーキングペンを提供することを、その目的としている。
【課題を解決するための手段】
【０００６】
請求項１に記載の発明は、ペン軸と、ペン先と、を有するマーキングペンにおいて、上記ペン軸は、先端にペン先が取り付けられたフレキシブルチューブと、このフレキシブルチューブがスライド自在に嵌装された把持筒とを備えたマーキングペンである。
【０００７】
請求項１に記載の発明によれば、先端にペン先が取り付けられたフレキシブルチューブと、このフレキシブルチューブがスライド自在に嵌装された把持筒とから構成されるペン軸を備えている。このため、このマーキングペンのペン軸は屈曲可能であり、かつ、曲げた状態でも所定の形状を維持することができる。よって、ペン軸を曲げた状態での筆記が可能となっている。また、フレキシブルチューブに対して把持筒はスライド自在に嵌装してあるため、把持筒をフレキシブルチューブの先端側（ペン先側）にスライドさせることにより、屈曲可能部分の長さ調整が可能である。また、把持筒を最先端までスライドさせることで通常のペンと同様に筆記することができる。
【０００８】
上記ペン先とは、マーキング対象物に接して筆記する部分を含む。このペン先は、鉛筆の芯、インキを含ませた吸収体（フェルト）、ボールチップ、ニブのうち、いずれでもよい。
上記フレキシブルチューブは、横方向の変位、曲げ変位等に適応して変形可能、すなわちたわみが可能な管を指す。このフレキシブルチューブは、ステンレス、アルミニウム等の金属や、ＰＴＦＥなどの樹脂で形成される。このフレキシブルチューブの外郭形状は任意である。断面四角形、断面三角形、断面円形等の管である。
上記把持筒は、フレキシブルチューブがスライド自在に挿入されて、剛体からなる所定径、所定長さの有底のまたは無底の筒である。この把持筒は、プラスチック、アクリル等の樹脂や、アルミニウムやステンレス等の金属で形成することができる。
【０００９】
請求項２に記載の発明は、上記フレキシブルチューブの長さを上記把持筒の長さより長くするとともに、この把持筒内にこのフレキシブルチューブの後端部を挿入し、この把持筒がこのフレキシブルチューブの後端部を摺動自在に支持した請求項１に記載のマーキングペンである。
【００１０】
請求項２に記載の発明によれば、上記フレキシブルチューブは、上記把持筒の長さより長く形成されている。そして、この把持筒内に、このフレキシブルチューブの後端部を挿入する。この把持筒がフレキシブルチューブの後端部を摺動することによって、このフレキシブルチューブの把持筒により嵌合された部分は、その曲げが抑制され、非嵌合の部分については曲げが可能となる。フレキシブルチューブの長さと把持筒のそれとを実質的に同じとすると、フレキシブルチューブの略全長が把持筒から露出したときにその曲げが最も容易となるが、把持部分である把持筒との連結が不安定となるため、フレキシブルチューブを把持筒より長くすることでこの連結の安定性を確保することができる。実質的に両者の長さを同じとすることで把持筒を先端側にスライドさせたとき、剛体である把持筒を把持しての筆記が可能となる。また、フレキシブルチューブは把持筒の約２倍までの長さが好ましい。この場合は、把持筒を無底の筒体（両端開放の筒体）で構成することが好ましい。
【００１１】
請求項３に記載の発明は、上記ペン先は、上記フレキシブルチューブに着脱可能に取り付けられた請求項１または請求項２に記載のマーキングペンである。ペン先とフレキシブルチューブとの連結関係は任意であり、チューブ先端開口にペン先の後端を嵌合させること、また、これをねじ込むこともできる。
【００１２】
請求項３に記載の発明にあっては、ペン先は、フレキシブルチューブの先端に着脱可能に取り付けられている。このため、ペン先を任意の種類に変更することができる。すなわち、マーキング対象物によって適切なペン（油性インクのペン、水性インクのペンなど）の種類を選択することができる。
【発明の効果】
【００１３】
請求項１に記載の発明によれば、このマーキングペンはペン軸が屈曲可能であり、かつ、マーキングペンの曲げられる部分の長さを自在に調節することができる。よって、マーキングペンを傾斜させてマーキングする必要がなく、結果として、位置決めを行う作業者の技量に拘わらず、マーキング位置のずれを減少させることができる。
また、作業環境に応じて、マーキングペンの曲がる部分の長さを調節することができ、より正確にマーキング作用を行うことができる。
【００１４】
請求項２に記載の発明によれば、把持筒がフレキシブルチューブの後端部を摺動することによって、このフレキシブルチューブは、この把持筒をスライド自在に支持することができる。
【００１５】
請求項３に記載の発明は、上記ペン先は、上記フレキシブルチューブに着脱可能に取り付けられている。このため、ペン先の種類を容易に変更することができ、マーキング対象物によって適切なペンの種類を選択することができる。なお、非マーキング時は、ペン先をキャップにて被覆することもできる。
【図面の簡単な説明】
【００１６】
【図１】この発明の一実施例に係るフレキシブルチューブを前方にスライドさせた状態を示す一部断面正面図である。
【図２】この発明の一実施例に係るフレキシブルチューブを後方にスライドさせた状態を示す正面図である。
【図３】この発明の一実施例に係るフレキシブルチューブの先端にペン先を取り付けた状態を示す断面図である。
【図４】この発明の一実施例に係るマーキングペンを使用してコの字型の架台における位置決めマーキングを行うときの説明図である。
【発明を実施するための形態】
【００１７】
この発明の一実施例に係るマーキングペンを、以下、図１〜４を参照して説明する。
【実施例】
【００１８】
図１および図３に示すように、この実施例に係るマーキングペン１０は、マーキング用のインクを収容するペン先１２と、このペン先１２をその先端に保持するペン軸１４とで構成されている。ペン軸１４は、使用者が把持する部分となるプラスチック製の把持筒１６と、その先端に上記ペン先１２が嵌合されるとともに、その後端部が把持筒１６内に摺動自在に嵌合されたフレキシブルチューブ１８とを有している。
ペン先１２は、先端が先細り形状で、基端がフレキシブルチューブ１８の先端開口に固着された筒体２０に螺合されている。このペン先１２は、この筒体２０の軸孔に螺合された吸収体保持容器２２と、この吸収体保持容器２２に保持された吸収体２４とを有している。吸収体２４は所定長さ所定径のウレタン製（またはフェルト製）の軸芯であって、その先端部が吸収体保持容器２２の先端から所定長さだけ突出している。吸収体保持容器２２内にはインクが充填されている。
ペン軸１４を構成するフレキシブルチューブ１８は市販品（例えば商品名スタンドチューブ）を用いることができ、これは硬鋼線と特殊異型線とを巻き合わせて形成されており、屈曲自在であって、任意の屈曲した状態を保持することができる。このフレキシブルチューブ１８の大部分は、プラスチック（ＰＣ，ＰＥ，ＰＶＣなど）製筒である把持筒１６の筒孔内に摺動してこれから出没可能に構成されている。すなわち、有底円筒体の把持筒１６の一端開口からフレキシブルチューブ１８の後端部が把持筒１６内に挿入されている。この把持筒１６の長さはフレキシブルチューブ１８の長さより少しだけ短く設定されている。したがって、フレキシブルチューブ１８を把持筒１６内の奥まで挿入するとペン軸１４は、最も短くかつ剛体のペン軸として屈曲不能状態で使用することができる。
一方、フレキシブルチューブ１８を把持筒１６から引き出してその後端部の短い部分だけを把持筒１６内に嵌合させた状態では、ペン軸１４は最長となってかつフレキシブルチューブ１８により所定の屈曲状態を採ることができるとともに、この把持筒１６を使用者が把持してマーキングが可能となる。これは、フレキシブルチューブ１８が曲げられた状態でも所定の剛性を保持しているからである。
なお、把持筒１６の後端部分にはクリップ３１が取り付けられている。
【００１９】
この場合の把持筒１６は、アクリル樹脂で形成することもできる。
この把持筒１６の先端部分の外径は、徐々に減少し、この把持筒１６の先端の外径は、後述するフレキシブルチューブ１８の外径とほぼ等しくなっている。
また、把持筒１６の内部を、ゴムの薄膜でコーティングすることもできる。このゴムの薄膜が、フレキシブルチューブ１８の移動抵抗となり、マーキングする際、フレキシブルチューブ１８がスライドすることを防止する役目を持つ。なお、上記ゴムの薄膜のコーティングの代わりに、把持筒１６の内壁面に凸部を設け、フレキシブルチューブ１８の凹凸と嵌合する構造としてもよい。
この把持筒１６の内径は、上記フレキシブルチューブ１８の外径と等しい。
【００２０】
上記フレキシブルチューブ１８は、軸方向の伸縮、横方向の変位、曲げ変位等に適応してたわみが可能な金属管である。
このフレキシブルチューブ１８は、上述のように把持筒１６の長さより長く形成されている。このため、把持筒１６を、フレキシブルチューブ１８上を手動でスライドさせて引き出したときにも把持筒１６の開口部にフレキシブルチューブ１８の他端が連結されている。
上述のように、フレキシブルチューブ１８の先端には、ペン先１２が着脱可能に取り付けられている。具体的には、このフレキシブルチューブ１８の先端に筒体２０が嵌合（または螺着）されている。この筒体２０は、プラスチックで形成されている。この筒体２０の後端の断面形状は、このフレキシブルチューブ１８の断面形状と同一である。そして、この筒体２０の後端はフレキシブルチューブ１８の開口端に固着（螺着）されている。この筒体２０は、先端が先細り形状に形成されている。そして、上述のようにこの筒体２０の孔内にペン先１２が螺合されている。
上記ペン先１２は、筒体２０の内部に螺着されて固定されている吸収体保持容器２２と、この吸収体保持容器２２に嵌合しているフェルト芯である吸収体２４とから構成されている。
【００２１】
上記吸収体保持容器２２は、有底円筒の剛体である。この吸収体保持容器２２は、吸収体２４に含まれる溶剤に応じて材質は適宜選択する。
この吸収体保持容器２２に形成された孔の深さは、吸収体２４の長さより短い。このため、マーキングする際に、吸収体２４が押圧されても、吸収体２４がフレキシブルチューブ１８の内部に入り込むことを防ぐことができる。
この吸収体保持容器２２の外周形状は、筒体２０の内周形状と同じである。この吸収体保持容器２２が、この筒体２０内に嵌合されても、隙間は生じない。このため、ペン先１２が押圧されても、フレキシブルチューブ１８内に入り込むことを防ぐことができる。
この吸収体保持容器２２の外周面には、ねじが形成され、筒体２０の内周面にねじが形成され、この吸収保持体２２は、この筒体２０に螺合されている。
【００２２】
上記吸収体２４は、圧縮フェルトにインキを含ませた丸芯である。
この吸収体２４の外形は、上記吸収体保持容器２２の孔の形状と同じである。
この吸収体２４は、吸収体保持容器２２に固着されている。
インキは、水性インキ（染料、顔料を、水またはアルコールにて溶解したインキ）を用いることが好ましい。油性インキ（染料、顔料を有機溶剤にて溶解したインキ）を用いた場合、速乾性を有するため、キャップを設ける必要がある。このキャップは、フレキシブルチューブの先端部を嵌合する、耐溶剤性を有する材質で形成される。
【００２３】
以上の構成からなるマーキングペン１０を使用してのマーキング対象物１００にマーキングする作業について図４を参照して説明する。
マーキング位置が隠れていない通常作業での使用では、マーキングペン１０は図２に示す状態にあり、フレキシブルチューブ１８は把持筒１６内に引っ込んでいる。よって、剛体である把持筒１６を把持して通常位置へのマーキングを自由に行うことができる。
そして、剛体のペン軸１４を使用してのマーキングが不可能または困難な状況にある場合、例えば他部材が目隠ししてマーキング位置に直接ペン先１２を当てることができない場合は、マーキングペン１０を図１に示す状態に引き延ばして使用する。すなわち、フレキシブルチューブ１８をスライドさせ、マーキングペン１０の長さを調節して使用する。
また、マーキング対象物１００の上部に障害物がある場合、例えば図４のようにコの字型の架台１０１の内部に形成された孔を通じてマーキングする際には、フレキシブルチューブ１８を屈曲させればよい。このとき吸収体２４が、架台１０１に形成された孔に挿入したときに、架台１０１の底面と、フレキシブルチューブ１８の先端部分が垂直になるようにフレキシブルチューブ１８を屈曲させる。
このようにして、マーキング位置の上部に障害物が存在しても、容易にマーキングを施すことができる。
【００２４】
なお、このマーキングペン１０では、吸収体保持容器２２は、フレキシブルチューブ１８に螺合されているため、吸収体保持容器２２を取り外し、黒鉛を、吸収体保持容器と同一形状の黒鉛保持容器に固着させ、フレキシブルチューブ１２に、この黒鉛保持容器を螺合させることによって、屈曲可能な鉛筆として使用することができる。
【符号の説明】
【００２５】
１０  マーキングペン、
１２  ペン先、
１４  ペン軸、
１６  把持筒、
１８  フレキシブルチューブ。
【図１】
2011051229.tif 000003
【図２】
2011051229.tif 000004
【図３】
2011051229.tif 000005
【図４】
2011051229.tif 000006
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
ペン軸と、ペン先とを有するマーキングペンにおいて、
上記ペン軸は、先端に上記ペン先が取り付けられたフレキシブルチューブと、
このフレキシブルチューブがスライド自在に嵌装された把持筒とを備え、
このフレキシブルチューブの長さを上記把持筒の長さより長くするとともに、
この把持筒内にこのフレキシブルチューブの後端部を挿入し、
この把持筒がこのフレキシブルチューブの後端部を摺動自在に支持したマーキングペン。
【手続補正２】
【補正対象書類名】明細書
【補正対象項目名】全文
【補正方法】変更
【補正の内容】
【発明の詳細な説明】
【技術分野】
【０００１】
この発明はマーキングペン、例えば穴開け加工を行う際対象物の穴開け位置にマーキングを行うマーキングペンに関する。
【背景技術】
【０００２】
例えば穴開け加工の加工位置のマーキングには、従来より、プラスチック製軸の中にインキを含ませた吸収体を収容し、これに繊維性またはプラスチック製のペン先を取り付けたマーキングペンが使用されていた。しかしながら、このマーキングペンは剛体である軸を屈曲させることができないため、例えば設備工事などでＩ形鋼などを用いた機械・設備での隠れた位置にマーキングする場合、マーキングペンを傾斜させて目隠し状態でマーキングしていた。このため、マーキング位置がずれることが多かった。
一方、柔軟性・直線復元力がある筒状の軸（プラスチックなど）にボールペンの芯を挿入し、手首などに巻き付けることができるように構成したボールペンが、特許文献１に開示されている。
【先行技術文献】
【特許文献】
【０００３】
【特許文献１】特開２００３−１１２４９３号公報
【発明の概要】
【発明が解決しようとする課題】
【０００４】
しかしながら、特許文献１に記載の発明によれば、そのボールペンの軸は手首に巻き付けるだけの目的のため相当な柔軟性を有していた。よって、その軸を曲げた状態での筆記（マーキング）は不可能な構造となっていた。
すなわち、特許文献１に記載の発明に係るボールペンは、穴開けその他の加工における加工位置を示すためのマーキングペンとして使用することはできなかった。
【０００５】
そこで、この発明は、ペン軸を自由に屈曲させることができ、ペン軸が屈曲した状態でのマーキングが可能なマーキングペンを提供することを目的とする。
また、この発明は、屈曲状態の他にもペン軸を直線状としての通常形態での筆記が可能なマーキングペンを提供することを、その目的としている。
【課題を解決するための手段】
【０００６】
請求項１に記載の発明は、ペン軸と、ペン先とを有するマーキングペンにおいて、上記ペン軸は、先端に上記ペン先が取り付けられたフレキシブルチューブと、このフレキシブルチューブがスライド自在に嵌装された把持筒とを備え、このフレキシブルチューブの長さを上記把持筒の長さより長くするとともに、この把持筒内にこのフレキシブルチューブの後端部を挿入し、この把持筒がこのフレキシブルチューブの後端部を摺動自在に支持したマーキングペンである。
【０００７】
請求項１に記載の発明によれば、先端にペン先が取り付けられたフレキシブルチューブと、このフレキシブルチューブがスライド自在に嵌装された把持筒とから構成されるペン軸を備えている。このため、このマーキングペンのペン軸は屈曲可能であり、かつ、曲げた状態でも所定の形状を維持することができる。よって、ペン軸を曲げた状態での筆記が可能となっている。また、フレキシブルチューブに対して把持筒はスライド自在に嵌装してあるため、把持筒をフレキシブルチューブの先端側（ペン先側）にスライドさせることにより、屈曲可能部分の長さ調整が可能である。また、把持筒を最先端までスライドさせることで通常のペンと同様に筆記することができる。
【０００８】
上記ペン先とは、マーキング対象物に接して筆記する部分を含む。このペン先は、鉛筆の芯、インキを含ませた吸収体（フェルト）、ボールチップ、ニブのうち、いずれでもよい。
上記フレキシブルチューブは、横方向の変位、曲げ変位等に適応して変形可能、すなわちたわみが可能な管を指す。このフレキシブルチューブは、ステンレス、アルミニウム等の金属や、ＰＴＦＥなどの樹脂で形成される。このフレキシブルチューブの外郭形状は任意である。断面四角形、断面三角形、断面円形等の管である。
上記把持筒は、フレキシブルチューブがスライド自在に挿入されて、剛体からなる所定径、所定長さの有底のまたは無底の筒である。この把持筒は、プラスチック、アクリル等の樹脂や、アルミニウムやステンレス等の金属で形成することができる。
【０００９】
上記フレキシブルチューブは、上記把持筒の長さより長く形成されている。そして、この把持筒内に、このフレキシブルチューブの後端部を挿入する。この把持筒がフレキシブルチューブの後端部を摺動することによって、このフレキシブルチューブの把持筒により嵌合された部分は、その曲げが抑制され、非嵌合の部分については曲げが可能となる。フレキシブルチューブの長さと把持筒のそれとを実質的に同じとすると、フレキシブルチューブの略全長が把持筒から露出したときにその曲げが最も容易となるが、把持部分である把持筒との連結が不安定となるため、フレキシブルチューブを把持筒より長くすることでこの連結の安定性を確保することができる。実質的に両者の長さを同じとすることで把持筒を先端側にスライドさせたとき、剛体である把持筒を把持しての筆記が可能となる。また、フレキシブルチューブは把持筒の約２倍までの長さが好ましい。この場合は、把持筒を無底の筒体（両端開放の筒体）で構成することが好ましい。
【００１０】
上記ペン先は、上記フレキシブルチューブに着脱可能に取り付けられる。ペン先とフレキシブルチューブとの連結関係は任意であり、チューブ先端開口にペン先の後端を嵌合させること、また、これをねじ込むこともできる。
【００１１】
ペン先は、フレキシブルチューブの先端に着脱可能に取り付けられている。このため、ペン先を任意の種類に変更することができる。すなわち、マーキング対象物によって適切なペン（油性インクのペン、水性インクのペンなど）の種類を選択することができる。
【発明の効果】
【００１２】
請求項１に記載の発明によれば、このマーキングペンはペン軸が屈曲可能であり、かつ、マーキングペンの曲げられる部分の長さを自在に調節することができる。よって、マーキングペンを傾斜させてマーキングする必要がなく、結果として、位置決めを行う作業者の技量に拘わらず、マーキング位置のずれを減少させることができる。
また、作業環境に応じて、マーキングペンの曲がる部分の長さを調節することができ、より正確にマーキング作用を行うことができる。
【００１３】
把持筒がフレキシブルチューブの後端部を摺動することによって、このフレキシブルチューブは、この把持筒をスライド自在に支持することができる。
【００１４】
上記ペン先は、上記フレキシブルチューブに着脱可能に取り付けられている。このため、ペン先の種類を容易に変更することができ、マーキング対象物によって適切なペンの種類を選択することができる。なお、非マーキング時は、ペン先をキャップにて被覆することもできる。
【図面の簡単な説明】
【００１５】
【図１】この発明の一実施例に係るフレキシブルチューブを前方にスライドさせた状態を示す一部断面正面図である。
【図２】この発明の一実施例に係るフレキシブルチューブを後方にスライドさせた状態を示す正面図である。
【図３】この発明の一実施例に係るフレキシブルチューブの先端にペン先を取り付けた状態を示す断面図である。
【図４】この発明の一実施例に係るマーキングペンを使用してコの字型の架台における位置決めマーキングを行うときの説明図である。
【発明を実施するための形態】
【００１６】
この発明の一実施例に係るマーキングペンを、以下、図１〜４を参照して説明する。
【実施例】
【００１７】
図１および図３に示すように、この実施例に係るマーキングペン１０は、マーキング用のインクを収容するペン先１２と、このペン先１２をその先端に保持するペン軸１４とで構成されている。ペン軸１４は、使用者が把持する部分となるプラスチック製の把持筒１６と、その先端に上記ペン先１２が嵌合されるとともに、その後端部が把持筒１６内に摺動自在に嵌合されたフレキシブルチューブ１８とを有している。
ペン先１２は、先端が先細り形状で、基端がフレキシブルチューブ１８の先端開口に固着された筒体２０に螺合されている。このペン先１２は、この筒体２０の軸孔に螺合された吸収体保持容器２２と、この吸収体保持容器２２に保持された吸収体２４とを有している。吸収体２４は所定長さ所定径のウレタン製（またはフェルト製）の軸芯であって、その先端部が吸収体保持容器２２の先端から所定長さだけ突出している。吸収体保持容器２２内にはインクが充填されている。
ペン軸１４を構成するフレキシブルチューブ１８は市販品（例えば商品名スタンドチューブ）を用いることができ、これは硬鋼線と特殊異型線とを巻き合わせて形成されており、屈曲自在であって、任意の屈曲した状態を保持することができる。このフレキシブルチューブ１８の大部分は、プラスチック（ＰＣ，ＰＥ，ＰＶＣなど）製筒である把持筒１６の筒孔内に摺動してこれから出没可能に構成されている。すなわち、有底円筒体の把持筒１６の一端開口からフレキシブルチューブ１８の後端部が把持筒１６内に挿入されている。この把持筒１６の長さはフレキシブルチューブ１８の長さより少しだけ短く設定されている。したがって、フレキシブルチューブ１８を把持筒１６内の奥まで挿入するとペン軸１４は、最も短くかつ剛体のペン軸として屈曲不能状態で使用することができる。
一方、フレキシブルチューブ１８を把持筒１６から引き出してその後端部の短い部分だけを把持筒１６内に嵌合させた状態では、ペン軸１４は最長となってかつフレキシブルチューブ１８により所定の屈曲状態を採ることができるとともに、この把持筒１６を使用者が把持してマーキングが可能となる。これは、フレキシブルチューブ１８が曲げられた状態でも所定の剛性を保持しているからである。
なお、把持筒１６の後端部分にはクリップ３１が取り付けられている。
【００１８】
この場合の把持筒１６は、アクリル樹脂で形成することもできる。
この把持筒１６の先端部分の外径は、徐々に減少し、この把持筒１６の先端の外径は、後述するフレキシブルチューブ１８の外径とほぼ等しくなっている。
また、把持筒１６の内部を、ゴムの薄膜でコーティングすることもできる。このゴムの薄膜が、フレキシブルチューブ１８の移動抵抗となり、マーキングする際、フレキシブルチューブ１８がスライドすることを防止する役目を持つ。なお、上記ゴムの薄膜のコーティングの代わりに、把持筒１６の内壁面に凸部を設け、フレキシブルチューブ１８の凹凸と嵌合する構造としてもよい。
この把持筒１６の内径は、上記フレキシブルチューブ１８の外径と等しい。
【００１９】
上記フレキシブルチューブ１８は、軸方向の伸縮、横方向の変位、曲げ変位等に適応してたわみが可能な金属管である。
このフレキシブルチューブ１８は、上述のように把持筒１６の長さより長く形成されている。このため、把持筒１６を、フレキシブルチューブ１８上を手動でスライドさせて引き出したときにも把持筒１６の開口部にフレキシブルチューブ１８の他端が連結されている。
上述のように、フレキシブルチューブ１８の先端には、ペン先１２が着脱可能に取り付けられている。具体的には、このフレキシブルチューブ１８の先端に筒体２０が嵌合（または螺着）されている。この筒体２０は、プラスチックで形成されている。この筒体２０の後端の断面形状は、このフレキシブルチューブ１８の断面形状と同一である。そして、この筒体２０の後端はフレキシブルチューブ１８の開口端に固着（螺着）されている。この筒体２０は、先端が先細り形状に形成されている。そして、上述のようにこの筒体２０の孔内にペン先１２が螺合されている。
上記ペン先１２は、筒体２０の内部に螺着されて固定されている吸収体保持容器２２と、この吸収体保持容器２２に嵌合しているフェルト芯である吸収体２４とから構成されている。
【００２０】
上記吸収体保持容器２２は、有底円筒の剛体である。この吸収体保持容器２２は、吸収体２４に含まれる溶剤に応じて材質は適宜選択する。
この吸収体保持容器２２に形成された孔の深さは、吸収体２４の長さより短い。このため、マーキングする際に、吸収体２４が押圧されても、吸収体２４がフレキシブルチューブ１８の内部に入り込むことを防ぐことができる。
この吸収体保持容器２２の外周形状は、筒体２０の内周形状と同じである。この吸収体保持容器２２が、この筒体２０内に嵌合されても、隙間は生じない。このため、ペン先１２が押圧されても、フレキシブルチューブ１８内に入り込むことを防ぐことができる。
この吸収体保持容器２２の外周面には、ねじが形成され、筒体２０の内周面にねじが形成され、この吸収保持体２２は、この筒体２０に螺合されている。
【００２１】
上記吸収体２４は、圧縮フェルトにインキを含ませた丸芯である。
この吸収体２４の外形は、上記吸収体保持容器２２の孔の形状と同じである。
この吸収体２４は、吸収体保持容器２２に固着されている。
インキは、水性インキ（染料、顔料を、水またはアルコールにて溶解したインキ）を用いることが好ましい。油性インキ（染料、顔料を有機溶剤にて溶解したインキ）を用いた場合、速乾性を有するため、キャップを設ける必要がある。このキャップは、フレキシブルチューブの先端部を嵌合する、耐溶剤性を有する材質で形成される。
【００２２】
以上の構成からなるマーキングペン１０を使用してのマーキング対象物１００にマーキングする作業について図４を参照して説明する。
マーキング位置が隠れていない通常作業での使用では、マーキングペン１０は図２に示す状態にあり、フレキシブルチューブ１８は把持筒１６内に引っ込んでいる。よって、剛体である把持筒１６を把持して通常位置へのマーキングを自由に行うことができる。
そして、剛体のペン軸１４を使用してのマーキングが不可能または困難な状況にある場合、例えば他部材が目隠ししてマーキング位置に直接ペン先１２を当てることができない場合は、マーキングペン１０を図１に示す状態に引き延ばして使用する。すなわち、フレキシブルチューブ１８をスライドさせ、マーキングペン１０の長さを調節して使用する。
また、マーキング対象物１００の上部に障害物がある場合、例えば図４のようにコの字型の架台１０１の内部に形成された孔を通じてマーキングする際には、フレキシブルチューブ１８を屈曲させればよい。このとき吸収体２４が、架台１０１に形成された孔に挿入したときに、架台１０１の底面と、フレキシブルチューブ１８の先端部分が垂直になるようにフレキシブルチューブ１８を屈曲させる。
このようにして、マーキング位置の上部に障害物が存在しても、容易にマーキングを施すことができる。
【００２３】
なお、このマーキングペン１０では、吸収体保持容器２２は、フレキシブルチューブ１８に螺合されているため、吸収体保持容器２２を取り外し、黒鉛を、吸収体保持容器と同一形状の黒鉛保持容器に固着させ、フレキシブルチューブ１２に、この黒鉛保持容器を螺合させることによって、屈曲可能な鉛筆として使用することができる。
【符号の説明】
【００２４】
１０  マーキングペン、
１２  ペン先、
１４  ペン軸、
１６  把持筒、
１８  フレキシブルチューブ。